(57)【特許請求の範囲】
【請求項１】
軸線まわりの相対回動ならびに軸線方向の相対移動を可能として摺動可能に嵌合される内筒（８７）および外筒（８８）と、前記内筒（８７）に固定される固定プーリ半体（８９）と、該固定プーリ半体（８９）に対向して前記外筒（８８）に固定される可動プーリ半体（９０）と、該可動プーリ半体（９０）および前記固定プーリ半体（８９）間の相対回転位相差に応じて前記両プーリ半体間に軸方向の分力を作用せしめるようにして前記内筒（８７）および前記外筒（８８）間に設けられるトルクカム機構（９１）と、前記可動プーリ半体（９０）を前記固定プーリ半体（８９）との間に挟む位置で前記内筒（８７）に固定されるばね受け部材（９２）と、前記外筒（８８）を囲繞して前記可動プーリ半体（９０）および前記ばね受け部材（９２）間に縮設されるコイルスプリング（９３）とを備え、駆動プーリ装置（７８）からの回転動力を伝達するＶベルト（８０）が前記固定プーリ半体（８９）および前記可動プーリ半体（９０）の相対向する円錐面（８９ａ、９０ａ）間に挟まれるＶベルト式自動変速機の従動プーリ装置において、
前記コイルスプリング（９３）の前記可動プーリ半体（９０）側の端面が、自己潤滑性樹脂から成る単一の部材（１０６）で受けられる一方、前記コイルスプリング（９３）の前記ばね受け部材（９２）側の端面が、自己潤滑性樹脂から成るとともに相互に軸方向に重なる一対の部材（１１５，１１６）で受けられ、
前記一対の部材は、前記コイルスプリング（９３）及び前記ばね受け部材（９２）間に配置されてスラスト軸受手段（１０７）を構成する第１，第２ベアリング部材（１１５，１１６）であり、
前記第１ベアリング部材（１１５）は、前記ばね受け部材（９２）に設けられた円形凹部（１１７）の閉塞端に一端面が接触する平板リング状の第１軸受部（１１５ｂ）と、前記凹部（１１７）に外周が嵌合する嵌合筒部（１１５ａ）とを一体に有しており、
前記第２ベアリング部材（１１６）は、前記嵌合筒部（１１５ａ）の内周に嵌合されて前記第１軸受部（１１５ｂ）の他端面と前記コイルスプリング（９３）の前記ばね受け部材（９２）側の端面との間に挟まれる平板リング状の第２軸受部（１１６ａ）と、前記コイルスプリング（９３）の前記ばね受け部材（９２）側の端部を径方向に位置決めすべく該端部の内周に挿入される位置決め筒部（１１６ｂ）とを一体に有していることを特徴とする、Ｖベルト式自動変速機の従動プーリ装置。
【請求項２】
前記単一の部材が、前記可動プーリ半体（９０）側で少なくとも前記コイルスプリング（９３）の内周をガイドする円筒状ガイド部材（１０６）であり、
そのガイド部材（１０６）の軸方向一端に形成した鍔部（１０６ａ）で前記コイルスプリング（９３）の前記可動プーリ半体（９０）側の端面が受けられ、
前記ガイド部材（１０６）には、軸方向に各々延びる複数のスリット（１０８，１０９）が互いに周方向に間隔をおいて形成されることを特徴とする、請求項１記載のＶベルト式自動変速機の従動プーリ装置。
【請求項３】
前記可動プーリ半体（９０）および前記外筒（８８）と前記ガイド部材（１０６）との間に、金属製のカラー（１１０）が介装されることを特徴とする、請求項１または２に記載のＶベルト式自動変速機の従動プーリ装置。
【発明の詳細な説明】
【技術分野】
【０００１】
本発明は、軸線まわりの相対回動ならびに軸線方向の相対移動を可能として摺動可能に嵌合される内筒および外筒と、前記内筒に固定される固定プーリ半体と、該固定プーリ半体に対向して前記外筒に固定される可動プーリ半体と、該可動プーリ半体および前記固定プーリ半体間の相対回転位相差に応じて前記両プーリ半体間に軸方向の分力を作用せしめるようにして前記内筒および前記外筒間に設けられるトルクカム機構と、前記可動プーリ半体を前記固定プーリ半体との間に挟む位置で前記内筒に固定されるばね受け部材と、前記外筒を囲繞して前記可動プーリ半体および前記ばね受け部材間に縮設されるコイルスプリングとを備え、駆動プーリ装置からの回転動力を伝達するＶベルトが前記固定プーリ半体および前記可動プーリ半体の相対向する円錐面間に挟まれるＶベルト式自動変速機の従動プーリ装置に関する。
【背景技術】
【０００２】
このような従動プーリ装置では、トルクカム機構が、可動プーリ半体および前記固定プーリ半体間の相対回転位相差に応じて可動プーリに軸方向の力が作用せしめるようにしているので、可動プーリおよびばね受け部材間に縮設されるコイルスプリングに捩じれを生じさせることがあり、そのような捩れは、前記軸方向の力に対する反力を生じさせ、Ｖベルトの側面への可動プーリ半体の押圧力を不安定とさせ、振動を発生させる要因ともなる。そこで特許文献１で開示されたものでは、可動プーリ半体およびコイルスプリング間、ならびにばね受け部材およびコイルスプリング間の少なくとも一方に板状ベアリングが介装されることで、コイルスプリングに捩じれが生じないようにしている。
【特許文献１】特開平８−４２６５５号公報
【発明の開示】
【発明が解決しようとする課題】
【０００３】
ところが、コイルスプリングは、上述のように捩れが生じ易いだけでなく、部分的な偏心によって円筒面で波打ち現象を生じやすく、波打ち現象が生じるとコイルスプリングが周囲の部材に当たって異音を発生することがあるが、上記従来のものでは、コイルスプリングに波打ち現象が生じるのを防止することができない。
【０００４】
本発明（特に請求項２の発明）は、かかる事情に鑑みてなされたものであり、コイルスプリングに捩れが生じることを防止するだけでなく、波打ち現象が生じることも防止し得るようにしたＶベルト式自動変速機の従動プーリ装置を提供することを目的とする。
【課題を解決するための手段】
【０００５】
そして、請求項１記載の発明は、軸線まわりの相対回動ならびに軸線方向の相対移動を可能として摺動可能に嵌合される内筒および外筒と、前記内筒に固定される固定プーリ半体と、該固定プーリ半体に対向して前記外筒に固定される可動プーリ半体と、該可動プーリ半体および前記固定プーリ半体間の相対回転位相差に応じて前記両プーリ半体間に軸方向の分力を作用せしめるようにして前記内筒および前記外筒間に設けられるトルクカム機構と、前記可動プーリ半体を前記固定プーリ半体との間に挟む位置で前記内筒に固定されるばね受け部材と、前記外筒を囲繞して前記可動プーリ半体および前記ばね受け部材間に縮設されるコイルスプリングとを備え、駆動プーリ装置からの回転動力を伝達するＶベルトが前記固定プーリ半体および前記可動プーリ半体の相対向する円錐面間に挟まれるＶベルト式自動変速機の従動プーリ装置において、前記コイルスプリングの前記可動プーリ半体側の端面が、自己潤滑性樹脂から成る単一の部材で受けられる一方、前記コイルスプリングの前記ばね受け部材側の端面が、自己潤滑性樹脂から成るとともに相互に軸方向に重なる一対の部材で受けられ、前記一対の部材は、前記コイルスプリング及び前記ばね受け部材間に配置されてスラスト軸受手段を構成する第１，第２ベアリング部材であり、前記第１ベアリング部材は、前記ばね受け部材に設けられた円形凹部の閉塞端に一端面が接触する平板リング状の第１軸受部と、前記凹部に外周が嵌合する嵌合筒部とを一体に有しており、前記第２ベアリング部材は、前記嵌合筒部の内周に嵌合されて前記第１軸受部の他端面と前記コイルスプリングの前記ばね受け部材側の端面との間に挟まれる平板リング状の第２軸受部と、前記コイルスプリングの前記ばね受け部材側の端部を径方向に位置決めすべく該端部の内周に挿入される位置決め筒部とを一体に有していることを特徴とする。
【０００６】
また請求項２記載の発明は、請求項１記載の発明の構成に加えて、前記単一の部材が、前記可動プーリ半体側で少なくとも前記コイルスプリングの内周をガイドする円筒状ガイド部材であり、そのガイド部材の軸方向一端に形成した鍔部で前記コイルスプリングの前記可動プーリ半体側の端面が受けられ、前記ガイド部材には、軸方向に各々延びる複数のスリットが互いに周方向に間隔をおいて形成されることを特徴とする。
【０００７】
さらに請求項３記載の発明は、請求項１又は２に記載の発明の構成に加えて、前記可動プーリ半体および前記外筒と前記ガイド部材との間に、金属製のカラーが介装されることを特徴とする。
【発明の効果】
【０００８】
本発明によれば、可動プーリ半体との相対回転が生じないようにコイルスプリングを可動プーリ半体とともに回転させることが可能であり、コイルスプリングに捩じれが生じることを防止できる。
【０００９】
また可動プーリ半体および固定プーリ半体間の相対回転位相差が生じたときに、ばね受け部材およびコイルスプリング間に、自己潤滑性樹脂製の第１，第２ベアリング部材よりなるスラスト軸受手段が介装されていることにより、可動プーリ半体との相対回転が生じないようにコイルスプリングを可動プーリ半体とともに回転させることが可能であり、コイルスプリングに捩じれが生じることを防止することができる。またスラスト軸受手段を極めて簡単な構造で構成することができ、しかも両ベアリング部材が自己潤滑性を有するものであるので、塵埃に対する耐摩耗性の向上を図ることができる。
【００１０】
また特に請求項２の発明によれば、可動プーリ半体側でコイルスプリングの内周はガイド部材でガイドされるので、可動プーリ半体側ではコイルスプリングの内周をセンタリングするようにしてコイルスプリングに波打ち現象が生じるのを防止することができる。また可動プーリ半体側でのコイルスプリングの内周およびガイド部材間の滑りをよくすることができるため、コイルスプリングおよびガイド部材間の間隙を極力小さく設定することが可能であり、それにより、コイルスプリングに波打ち現象が生じるのをより有効に防止して作動性の向上を図ることができる。
【００１１】
さらに請求項３の発明によれば、ガイド部材の肉厚を薄く設定することができ、樹脂製であるガイド部材の熱膨張に伴うコイルスプリング内周との隙間管理が容易となり、またばね受け部材側との摩擦係数の違いを維持し、コイルスプリングおよびばね受け部材間でより確実に相対回転が生じるようにすることができる。
【発明を実施するための最良の形態】
【００１２】
以下、本発明の実施の形態を、添付の図面に示した本発明の一実施例に基づいて説明する。
【００１３】
図１〜図９は本発明の一実施例を示すものであり、図１はパワーユニットおよび後輪の側面図、図２は図１の２−２線断面図、図３は図２の要部拡大図、図４は図３の４−４線断面図、図５は図３の５−５線断面図、図６は従動プーリ装置の拡大横断面図、図７はケースカバーおよび防音カバーを図２の７−７線矢視方向から見た図、図８はケースカバーおよび防音カバーを図２の８−８線矢視方向から見た図、図９は騒音発生状況のテスト結果を示す図である。
【００１４】
先ず図１および図２において、後輪ＷＲの前方に配置されるエンジンＥと、該エンジンＥおよび前記後輪ＷＲ間に設けられるＶベルト式自動変速機Ｍとで構成されるパワーユニットＰは、スクータ型自動二輪車の車体フレーム（図示せず）に搭載されるものであり、パワーユニットＰの後部右側に配置される後輪ＷＲがパワーユニットＰの後部に軸支される。
【００１５】
エンジンＥのエンジン本体１１は、後輪ＷＲの回転軸線と平行な回転軸線を有するクランクシャフト１６を回転自在に支承するクランクケース１２と、クランクケース１２に結合されるシリンダブロック１３と、クランクケース１２と反対側でシリンダブロック１３に結合されるシリンダヘッド１４と、シリンダブロック１３と反対側でシリンダヘッド１４に結合されるヘッドカバー１５とを備える。
【００１６】
シリンダブロック１３は、該シリンダブロック１３に設けられるシリンダボア１７の軸線すなわちシリンダ軸線Ｃ１が自動二輪車の前後方向に沿ってわずかに前上がりとして略水平となるように配置される。またクランクケース１２は、前記シリンダ軸線Ｃ１を含むとともに該クランクシャフト１６の軸線に直交する平面で結合される一対のケース半体１２ａ，１２ｂから成り、両ケース半体１２ａ，１２ｂのうち一方のケース半体１２ａおよびクランクシャフト１６間にボールベアリング１８が介装され、他方のケース半体１２ｂおよびクランクシャフト１６間には、ローラベアリング１９と、該ローラベアリング１９よりも外方に配置される環状のシール部材２０とが介装される。
【００１７】
シリンダヘッド１４と、前記シリンダボア１７に摺動自在に嵌合されるピストン２１との間には燃焼室２３が形成され、この燃焼室２３への吸気を制御する吸気弁２４ならびに前記燃焼室２３からの排気を制御する排気弁２５は、クランクシャフト１６の回転軸線に直交する平面への投影図上で略Ｖ字状に並ぶようにしてシリンダヘッド１４に配設される。また燃焼室２３に臨む点火プラグ２６が、自動二輪車の進行方向前方を向いた状態でシリンダヘッド１４の左側側面に取付けられる。
【００１８】
シリンダヘッド１４およびヘッドカバー１５間には、クランクシャフト１６の軸線と平行な軸線を有してシリンダヘッド１４に回転自在に支承されるとともに吸気用および排気用カム２８，２９を有するカムシャフト２７を含む動弁機構３０が前記吸気弁２４および排気弁２５を開閉駆動するようにして収容される。
【００１９】
カムシャフト２７の一端部には被動スプロケット３１が固定される。一方、クランクシャフト１６においてボールベアリング１８よりも外方側で前記被動スプロケット３１に対応する位置には第１駆動スプロケット３２が固定されており、第１駆動スプロケット３２および被動スプロケット３１には、無端状のカムチェーン３３が巻掛けられ、カムチェーン３３は、シリンダブロック１３、シリンダヘッド１４およびヘッドカバー１５にわたって形成されたチェーン室３４内に走行可能に収納される。このような第１駆動スプロケット３２、被動スプロケット３１およびカムチェーン３３により、クランクシャフト１６の回転数の１／２の回転数でカムシャフト２７が回転駆動される。
【００２０】
図３を併せて参照して、クランクシャフト１６は軸方向に間隔をあけて対向する一対のクランクウエブ１６ａ，１６ｂを備えるものであり、それらのクランクウエブ１６ａ，１６ｂにクランクピン３７の両端が連結される。一方、前記ピストン２１にはコネクティングロッド３８の一端が連結されており、このコネクティングロッド３８の他端すなわち大端部３８がニードルベアリング３９を介して前記クランクピン３７に連結される。
【００２１】
第１駆動スプロケット３１よりも外方側でクランクシャフト１６には第２駆動スプロケット４０が固定される。一方、クランクケース１２内の下部からオイルを汲み上げるオイルポンプ４１（図１参照）と、シリンダブロック１３およびシリンダヘッド１４に設けられる冷却ジャケット４３に冷却水を循環せしめるための冷却水ポンプ４２（図１参照）とが同軸に連なってクランクケース１２の下部に設けられており、第２駆動スプロケット４０からチェーン４４を介して前記オイルポンプ４１および前記冷却水ポンプ４２に回転動力が伝達される。
【００２２】
第２駆動スプロケット４０よりも外方には、クランクケース１２の右側面に取付けられる右カバー４５に固定されるステータ４７と、該ステータ４７を囲繞するようにしてクランクシャフト１６に固定されるアウターロータ４８とを備える発電機４６が配置されている。
【００２３】
第２駆動スプロケット４０および前記アウターロータ４８間には、クランクシャフト１６を同軸に囲繞して該クランクシャフト１６で相対回転可能に支承される被動ギヤ４９が配置されており、この被動ギヤ４９は、前記アウターロータ４８に一方向クラッチ５０を介して連結される。而して前記被動ギヤ４９には図示しないスタータモータからの回転動力を入力可能であり、エンジンＥの始動時にはスタータモータからの駆動力がクランクシャフト１６に伝達され、エンジンＥの始動後には一方向クラッチ５０の働きによりクランクシャフト１６からの動力がスタータモータ側に伝達されることはない。
【００２４】
前記右カバー４５の内面中央部には、クランクケース１２の右端部を囲繞する円筒状の支持筒部４５ａが一体に突設されており、支持筒部４５ａおよびクランクシャフト１６間には環状のシール部材５３が介装され、クランクシャフト１６の右端部を突入させるオイル室５４が右カバー４５の内面側中央部に形成され、このオイル室５４には、オイルポンプ４１からのオイルを導くようにしてクランクケース１２および右カバー４５に設けられるオイル通路５５が連通する。
【００２５】
クランクシャフト１６には、前記オイル室５４に外端を通じさせる有底の第１オイル通路孔５６が、前記ボールベアリング１８にほぼ対応する位置で内端を閉じるようにして同軸に設けられる。またクランクピン３７には、軽量化と給油のためにボールベアリング１８側に開放した有底の第２オイル通路孔５７が同軸に設けられる。一方、クランクシャフト１６における一方のクランクウエブ１６ａのボールベアリング１８側の外側面には、第２オイル通路孔５７の開口端を臨ませる環状の取付け凹部５８が形成されており、第２オイル通路孔５７の開口端を覆うようにして環状かつ皿状に形成されるオイル受け渡し板５９の外周部が取付け凹部５８にかしめて固着される。
【００２６】
またクランクシャフト１６には、第１オイル通路孔５６からのオイルを、前記オイル受け渡し板５９およびクランクウエブ１６ａ間に導く第１連通孔６０が穿設される。さらにクランクピン３７には、第２オイル通路孔５７内のオイルをニードルベアリング３９側に導く第２連通孔６１が設けられる。
【００２７】
したがってオイルポンプ４１からオイル通路５５を経てオイル室５４に導入されたオイルは、第１オイル通路孔５６、第１連通孔６０、オイル受け渡し板５９およびクランクウエブ１６ａ間、第２オイル通路孔５７、第２連通孔６１を経てニードルベアリング３９に給油されることになる。またクランクシャフト１６には、第１オイル通路孔５６からのオイルをクランクシャフト１６および被動ギヤ４９間に導く第３連通孔６２も設けられている。
【００２８】
ところでニードルベアリング３９に給油されたオイルは、コネクティングロッド３８の大端部３８ａおよびクランクピン３７間の潤滑に用いられるのであるが、クランクシャフト１６の回転に伴って飛散するものであり、その飛散したオイルの一部を、ローラベアリング１９側に導くためのオイル孔６３が、クランクシャフト１６の軸線と平行な軸線を有して他方のクランクウエブ１６ｂに設けられる。
【００２９】
図４を併せて参照して、前記他方のクランクウエブ１６ｂは、クランクシャフト１６の軸線Ｃ２に関して前記クランクピン３７の連結部分とは反対側にウエイト部分１６ｂａを備えるものであり、このクランクウエブ１６ｂの内側面は、前記ウエイト部分１６ｂａに対応した円弧状の高位面６４と、前記クランクピン３７の軸線およびクランクシャフト１６の軸線Ｃ２を通る直線Ｌと平行に延びて前記クランクピン３７の連結部分およびウエイト部分１６ｂａ間にわたって帯状に延びる中位面６５と、その他の低位面６６とから成り、中位面６５は低位面６６との間に段差部６７を形成するようにして低位面６６よりもわすかに内方側に突出して形成され、高位面６４は低位面６６および中位面６５との間に段差部６８を形成するようにして中位面６５よりも内方側に突出するように形成される。
【００３０】
而して前記オイル孔６３の一端は、前記両段差部６７，６８が彎曲して連なる部分の近傍で低位面６６に開口するものであり、ニードルベアリング３９から飛散したオイルが段差部６７，６８を伝わってオイル孔６３の一端に導かれ易くなる。
【００３１】
図５を併せて参照して、前記他方のクランクウエブ１６ｂの前記ローラベアリング１９に対向する外側面には、ローラベアリング１９にほぼ対応して円弧状に形成される凹部６９が設けられており、前記オイル孔６３の他端は該凹部６９に開口される。而してオイル孔６３から導かれるオイルは凹部６９に溜まり易くなり、その凹部６９からローラベアリング１９側に飛散することでローラベアリング１９へのオイルの供給が可能となる。
【００３２】
再び図２において、Ｖベルト式自動変速機Ｍは、エンジン本体１１の一部を側方から覆ってエンジン本体１１に連設されるとともに後輪ＷＲの左側まで延設される伝動ケース７１内の収容室７０に収容されるものであり、伝動ケース７１は、クランクケース１２を構成する一対のケース半体１２ａ，１２ｂのうち他方のケース半体１２ｂに一体に連なる内側ケース７２と、該内側ケース７２を外側から覆うようにして内側ケース７２に締結される外側ケース７３と、外側ケース７３内で内側ケース７２の後部に締結される減速機ケース７４とから成り、内側ケース７２および減速機ケース７４と外側ケース７３との間に収容室７０が形成され、内側ケース７２および減速機ケース７４間にはギヤ室７５が形成される。
【００３３】
Ｖベルト式自動変速機Ｍは、クランクケース１２から収容室７０内に突入するクランクシャフト１６の他端部に装着される駆動プーリ装置７８と、クランクシャフト１６と平行な軸線を有して内側ケース７２および減速機ケース７４で回転自在に支承される出力軸８１に装着される従動プーリ装置７９と、駆動プーリ装置７８から従動プーリ装置７９に動力を伝達する無端状のＶベルト８０とで構成される。
【００３４】
駆動プーリ装置７８は、クランクシャフト１６に固定された固定プーリ半体８１と、固定プーリ半体８１に対して接近・離間可能な可動プーリ半体８２と、クランクシャフト１６の回転数の増加に応じて半径方向外側に移動する遠心ウエイト８３とを備えており、可動プーリ半体８２はクランクシャフト１６の回転数の増加に応じて遠心ウエイト８３が半径方向外側に移動することによって固定プーリ半体８１に接近する方向に付勢される。
【００３５】
図６において、従動プーリ装置７９は、出力軸８１との間にニードルベアリング８５およびボールベアリング８６を介装して該出力軸８１を同軸に囲繞する内筒８７と、軸線まわりの相対回動ならびに軸線方向の相対移動を可能として内筒８７を摺動可能に嵌合せしめる外筒８８と、内筒８７に固定される固定プーリ半体８９と、該固定プーリ半体８９に対向して外筒８８に固定される可動プーリ半体９０と、該可動プーリ半体９０および固定プーリ半体８９間の相対回転位相差に応じて両プーリ半体８９，９０間に軸方向の分力を作用せしめるようにして内筒８７および外筒８８間に設けられるトルクカム機構９１と、可動プーリ半体９０を固定プーリ半体８９との間に挟む位置で内筒８７に固定されるばね受け部材９２と、外筒８８を囲繞して可動プーリ半体９０およびばね受け部材９２間に縮設されるコイルスプリング９３と、エンジン回転数が設定回転数を超えるのに伴って動力伝達状態となるようにして内筒８７および出力軸８１間に設けられる遠心クラッチ９４とを備える。
【００３６】
そして駆動プーリ装置７８における固定プーリ半体８１および可動プーリ半体８２の相対向する円錐面８１ａ，８２ａ間と、従動プーリ装置７９における固定プーリ半体８９および可動プーリ半体９０の相対向する円錐面８９ａ，９０ａ間とにＶベルト８０が挟まれ、駆動プーリ装置７８ではクランクシャフト１６の回転数増加に応じて可動プーリ半体８２が固定プーリ半体８１に接近することによってＶベルト８０の固定および可動プーリ半体８１，８２への巻き掛け半径が大きくなり、それに応じて従動プーリ装置７９では、Ｖベルト８０の固定および可動プーリ半体８９，９０への巻き掛け半径が小さくなる。
【００３７】
前記固定プーリ半体８９は内筒８７の一端に複数のリベット９５…により固定され、ばね受け部材９２は内筒８７の他端部に固着される。而してばね受け部材９２は、遠心クラッチ９４の一部をも構成するものであり、遠心クラッチ９４は、出力軸８１の他端部に固定される椀状のクラッチアウタ９６と、出力軸８１と平行な軸線まわりに回動することを可能として前記ばね受け部材９２の複数箇所に軸支される遠心ウエイト９７…と、各遠心ウエイト９７…およびばね受け部材９２間に設けられるクラッチばね９８…とを備え、ばね受け部材９２の回転に応じて各遠心ウエイト９７…に作用する遠心力が各クラッチばね９８…のばね付勢力を上回ったときに遠心ウエイト９７…がクラッチアウタ９６に摩擦係合することで内筒８７すなわち固定プーリ半体８９とクラッチアウタ９６すなわち出力軸８１とが結合されることになる。
【００３８】
可動プーリ半体９０は、固定プーリ半体８９に対向するようにして外筒８８の一端に複数のリベット１０２…によって固定される。またトルクカム機構９１は、前記外筒８８の複数箇所に設けられるカム孔１０３…と、それらのカム孔１０３…に挿入されるようにして内筒８７に植設されるカムピン１０４…と、カム孔１０３…内で転動するようにしてカムピン１０４…に軸支されるローラ１０５…とを備える従来周知のものである。
【００３９】
而して従動プーリ装置７９における固定プーリ半体８９および可動プーリ半体９０間の間隔は、前記トルクカム機構９１によって生じる軸方向の力と、コイルスプリング９３によって生じる軸方向の弾性力と、固定プーリ半体８９および可動プーリ半体９０間の間隔をあける方向に作用するＶベルト８０からの力とのバランスにより決定される。
【００４０】
可動プーリ半体９０側でコイルスプリング９３の内周はガイド部材１０６でガイドされるものであり、またばね受け部材９２およびコイルスプリング９３間にはスラスト軸受手段１０７が介装される。
【００４１】
単一の部材である前記ガイド部材１０６は、コイルスプリング９３の可動プーリ半体９０側の一端を受ける鍔部１０６ａを一端に有して、自己潤滑性樹脂により円筒状に形成されるものであり、コイルスプリング９３の一端はガイド部材１０６の鍔部１０６ａで受けられ、しかもコイルスプリング９３の可動プーリ半体９０側の内周はガイド部材１０６でガイドされることになる。またガイド部材１０６には、その一端から他端側に延びる複数のスリット１０８…と、その他端から一端側に延びる複数のスリット１０９…とが設けられる。
【００４２】
しかも可動プーリ半体９０および外筒８８と、鍔部１０６ａを有する前記ガイド部材１０６との間には、前記ガイド部材１０６の鍔部１０６ａを受けるとともにコイルスプリング９３の一端部を挿入せしめるようにして縦断面略Ｌ字状に形成される受け部１１０ａを一端に一体に有して円筒状に形成される金属製のカラー１１０が介装されており、このカラー１１０は、前記外筒８８に設けられたカム孔１０３…を外方から閉じるようにして外筒８８を同軸に囲繞する。
【００４３】
ところで各カム孔１０３…と、ニードルベアリング８５およびボールベアリング８６との間で出力軸８１および内筒８７間に形成される環状室１１１とにはグリスが充填されるものであり、内筒８７には、環状室１１１および各カム孔１０３…間を結ぶ連絡孔１１２…が設けられ、外筒８８の軸方向両端部外周にはカラー１１０の内周に弾発的に接触する環状のシール部材１１３，１１３が装着され、外筒８８の軸方向両端部内周には内筒８７の外周に摺接する環状のシール部材１１４，１１４が装着される。
【００４４】
スラスト軸受手段１０７は、自己潤滑性樹脂から成るとともに相互に重なる一対の第１，第２ベアリング部材１１５，１１６が、コイルスプリング９３およびばね受け部材９２間に挟まれて成るものであり、第１ベアリング部材１１５は、ばね受け部材９２に設けられた円形の凹部１１７に嵌合する嵌合筒部１１５ａと前記凹部１１７の閉塞端に一端面が接触する平板リング状の第１軸受部１１５ｂとを一体に有し、また第２ベアリング部材１１６は、前記第１軸受部１１５ｂの他端面とコイルスプリング９３のばね受け部材９２側の端面との間に挟まれる平板リング状の第２軸受部１１６ａと、コイルスプリング９３の他端部内周に挿入されることでコイルスプリング９３との相対位置を定めるようにして前記第２軸受部１１６ａの内周に一体に連設される位置決め筒部１１６ｂとを備える。
【００４５】
さらに再び図２において、前記減速機ケース７４および内側ケース７２には、後輪ＷＲの車軸１１８が回転自在に支承されており、伝動ケース７１から突出した車軸１１８の端部は、エンジン本体１１に結合されて後輪ＷＲの右側に配置されるアーム１１９に回転自在に支承される。
【００４６】
ギヤ室７５内には、出力軸８１および車軸１１８間に設けられる減速ギヤ列１２０が収容されており、この減速ギヤ列１２０は、出力軸８１に設けられる第１ギヤ１２１と、出力軸８１および車軸１１８と平行にして内側ケース７２および減速機ケース７４に回転自在に支承される中間軸１２２に設けられて第１ギヤ１２１に噛合する第２ギヤ１２３と、中間軸１２２に設けられる第３ギヤ１２４と、第３ギヤ１２４に噛合して車軸１１８に設けられる第４ギヤ１２５とから成る。
【００４７】
伝動ケース７１における外側ケース７３の前記駆動プーリ装置７８に対向する部分の側壁には、収容室７０内に冷却空気を取り入れるための外気取り入れ口１２６が設けられており、前記駆動プーリ装置７８における可動プーリ半体９０の外周には、外気取り入れ口１２６から取り入れた冷却空気を収容室７０内に分散させるための冷却ファン１２７が一体に設けられる。
【００４８】
図７を併せて参照して、前記伝動ケース７１の外側面は、ケースカバー１２８および防音カバー１２９で覆われるものであり、ケースカバー１２８は、前記外気取り入れ口１２６が配置される部分を含んで伝動ケース７１の前半部外側面を覆うようにして複数箇所で伝動ケース７１における外側ケース７３に締結され、防音カバー１２９は、従動プーリ装置７９に対応する側で伝動ケース７１の後半部外側面を覆うようにして複数箇所で伝動ケース７１における外側ケース７３に締結される。
【００４９】
しかもケースカバー１２８の後縁部で防音カバー１２９の前縁部を覆うようにしてケースカバー１２８および防音カバー１２９が伝動ケース７１に取付けられており、防音カバー１２９の前部に設けられた２つのボス部１２９ａ…をケースカバー１２８の後部と伝動ケース７１との間に挟むようにして、ケースカバー１２８の後部および防音カバー１２９の前部がねじ部材１３０…により伝動ケース７１に共締めされる。
【００５０】
しかもケースカバー１２８の後縁部および防音カバー１２９の前縁部間には、後方側に開いた吸入口１３１が形成されるものであり、ケースカバー１２８および伝動ケース７１間には、吸入口１３１に通じる空気導入室１３２が形成される。
【００５１】
前記外気取り入れ口１２６を空気導入室１３２側から塞ぐようにしてフィルタ１３３が伝動ケース７１の外側面に取付けられており、吸入口１３１から空気導入室１３２に導入された外気は、フィルタ１３３を通過することによって浄化されて収容室７０に吸入されることになる。
【００５２】
図８を併せて参照して、伝動ケース７１および防音カバー１２９間には、伝動ケース７１および防音カバー１２９間の空間を複数たとえば３つの閉空間１３４，１３５，１３６に区画するようにして、たとえば４個の防音材１３７，１３８，１３９，１４０が配設される。
【００５３】
各防音材１３７〜１４０は、ウレタンシートの切断成形によってそれぞれ紐状に形成されるものであり、これらの防音材１３７〜１４０の一面が、接着剤により伝動ケース７１および防音カバー１２９のいずれか、この実施例では防音カバー１２９の内面に接着される。
【００５４】
次にこの実施例の作用について説明すると、Ｖベルト式自動変速機Ｍの従動プーリ装置７９において、可動プーリ半体９０側で少なくともコイルスプリング９３の内周がガイド部材１０６でガイドされ、ばね受け部材９２およびコイルスプリング９３間にはスラスト軸受手段１０７が介装されるので、可動プーリ半体９０との相対回転が生じないようにコイルスプリング９３を可動プーリ半体９０とともに回転させることが可能であり、コイルスプリング９３に捩じれが生じることを防止することができる。しかも可動プーリ半体９０側でコイルスプリング９３の内周はガイド部材１０６でガイドされるので、可動プーリ半体９０側ではコイルスプリング９３の内周をセンタリングするようにしてコイルスプリング９３に波打ち現象が生じるのを防止することができる。
【００５５】
特に可動プーリ半体９０の軸方向移動に応じて、コイルスプリング９３のうち可動プーリ半体９０側の半部の作動量が比較的大きくなるものであり、そのように作動量の大きくなる側の内周をガイド部材１０６でガイドするようにしているので、波打ち現象が生じるのをより有効に防止することができる。
【００５６】
またスラスト軸受手段１０７は、相互に重なる一対のベアリング部材１１５，１１６がコイルスプリング９３およびばね受け部材９２間に挟まれて成るものであり、スラスト軸受手段１０７を極めて簡単な構造で構成することができ、しかも両ベアリング部材１１５，１１６が自己潤滑性樹脂から成るものであるので、収容室７０に導入される冷却空気が塵埃を含むものであったとしても塵埃に対する耐摩耗性の向上を図ることができる。
【００５７】
また前記ガイド部材１０６も自己潤滑性樹脂により形成されるものであり、それにより可動プーリ半体９０側でのコイルスプリング９３の内周およびガイド部材１０６間の滑りをよくすることができる。その結果、コイルスプリング９３およびガイド部材１０６間の間隙を極力小さく設定することが可能となり、コイルスプリング９３に波打ち現象が生じるのをより有効に防止して作動性の向上を図ることができる。
【００５８】
さらに可動プーリ半体９０および外筒８８と、可動プーリ半体９０側でコイルスプリング９３の端面を受けるガイド部材１０６との間に、金属製のカラー１１０が介装されるので、ガイド部材１０６の肉厚を薄く設定することができ、樹脂製であるガイド部材１０６の熱膨張に伴うコイルスプリング９３の内周との隙間管理が容易となり、またばね受け部材９２側との摩擦係数の違いを維持し、コイルスプリング９３およびばね受け部材９２間でより確実に相対回転が生じるようにすることができる。
【００５９】
また伝動ケース７１と、該伝動ケース７１の外側面を覆って伝動ケース７１に取付けられる防音カバー１２９との間の空間が、防音材１３７〜１４０によって複数の閉空間１３４〜１３６に区画されるので、伝動ケース７１から放出される騒音は、伝動ケース７１および防音カバー１２９間に配置されている防音材１３７〜１４０で吸収されることによって抑えられるとともに、伝動ケース７１および防音カバー１２９間に形成される複数の閉空間１３４〜１３６で音の共鳴が生じることを防止することによって抑えられることになり、伝動ケース７１および防音カバー１２９間の空間を防音材１３７〜１４０で複数の閉空間１３４〜１３６に区画するようにした簡単な構造で充分な騒音防止効果を得ることができる。
【００６０】
ここで、防音カバー１２９および伝動ケース７１間に吸音材がない状態をＡ、防音カバー１２９および伝動ケース７１間の前面にわたって吸音材がある状態をＢ、本発明に従って防音カバー１２９および伝動ケース７１間を防音材１３７〜１４０で複数の閉空間１３４〜１３６に区画した状態をＣとして、各状態Ａ〜Ｃでの自動二輪車の加速時の騒音発生状況をテストしたところ、図９で示すような結果が得られており、本発明に従うＣの状態で優れた騒音防止効果が得られることが判る。
【００６１】
また防音材１３７〜１４０は、ウレタンシートの切断成形によって紐状に形成されるものであり、それらの防音材１３７〜１４０の一面が、接着剤により伝動ケース７１および防音カバー１２９のいずれか、この実施例では防音カバー１２９に装着されるので、防音カバー１２９の形状に対応した形状を有するシート状の防音材を用いる従来のものに比べると、防音材１３７〜１４０を形成する際の歩留りを高めることができ、しかも防音材１３７〜１４０を伝動ケース７１および防音カバー１２９のいずれかに接着した状態で防音カバー１２９を伝動ケース７１に取付けることができるので、パワーユニットＰの組立時の生産性が向上する。
【００６２】
さらに収容室７０内に収容されるＶベルト式自動変速機Ｍの駆動プーリ装置７８に対向する部分で伝動ケース７１の側壁には、収容室７０内に冷却空気を取り入れるための外気取り入れ口１２６が設けられるのであるが、前記防音カバー１２９は、前記Ｖベルト式自動変速機Ｍにおける従動プーリ装置７９に対応する側で伝動ケース７１の外側面の略半部を覆う形状に形成されるので、伝動ケース７１に設けられる外気取り入れ口１２６を考慮することなく防音材１３７〜１４０を伝動ケース７１および防音カバー１２９間に配置し得るようにして生産性を高めることができる。
【００６３】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００６４】
【図１】パワーユニットおよび後輪の側面図
【図２】図１の２−２線断面図
【図３】図２の要部拡大図
【図４】図３の４−４線断面図
【図５】図３の５−５線断面図
【図６】従動プーリ装置の拡大横断面図
【図７】ケースカバーおよび防音カバーを図２の７−７線矢視方向から見た図
【図８】ケースカバーおよび防音カバーを図２の８−８線矢視方向から見た図
【図９】騒音発生状況のテスト結果を示す図
【符号の説明】
【００６５】
７８・・・・駆動プーリ装置
７９・・・・従動プーリ装置
８０・・・・Ｖベルト
８７・・・・内筒
８８・・・・外筒
８９・・・・固定プーリ半体
８９ａ，９０ａ・・・円錐面
９０・・・・可動プーリ半体
９１・・・・トルクカム機構
９２・・・・ばね受け部材
９３・・・・コイルスプリング
１０６・・・ガイド部材
１０７・・・スラスト軸受手段
１０８，１０９・・・スリット
１１０・・・カラー
１１５，１１６・・・第１，第２ベアリング部材
１１５ａ・・嵌合筒部
１１５ｂ・・第１軸受部
１１６ａ・・第２軸受部
１１６ｂ・・位置決め筒部
１１７・・・円形凹部
Ｍ・・・・・ベルト式自動変速機
【図１】
0004664616.tif 000002
【図２】
0004664616.tif 000003
【図３】
0004664616.tif 000004
【図４】
0004664616.tif 000005
【図５】
0004664616.tif 000006
【図６】
0004664616.tif 000007
【図７】
0004664616.tif 000008
【図８】
0004664616.tif 000009
【図９】
0004664616.tif 000010